【手続補正書】
【提出日】平成16年10月13日(2004.10.13)
【手続補正１】
【補正対象書類名】明細書
【補正対象項目名】特許請求の範囲
【補正方法】変更
【補正の内容】
【特許請求の範囲】
【請求項１】
基板と、この基板の一方端側に１本の光ファイバを固定する第１の光ファイバ固定部材と、前記基板の他端側に４本の光ファイバを固定する第２の光ファイバ固定部材と、前記第１の光ファイバ固定部材と第２の光ファイバ固定部材の間に配置した２本の光ファイバと、この２本の光ファイバを前記基板に対して移動可能にする可動手段とを備えたことを特徴とする光スイッチ。
【請求項２】
基板と、この基板の一方端側に入力側光ファイバを固定する入力側光ファイバ固定部材と、前記基板の他端側に複数の出力側光ファイバを固定する出力側光ファイバ固定部材と、前記入力側光ファイバ固定部材と出力側光ファイバ固定部材の間に配置された複数の切換え用光ファイバと、この切換え用光ファイバの少なくとも一部を前記基板に対して移動可能にする可動手段とを備え、前記切換え用光ファイバの本数は前記出力用光ファイバの本数より少ないことを特徴とする光スイッチ。
【請求項３】
前記移動可能な光ファイバは、両端部側を前記基板に対して移動可能にし、中間部を前記基板に固定したことを特徴とする請求項１に記載の光スイッチ。
【請求項４】
前記切換え用光ファイバは、両端部側を前記基板に対して移動可能にし、中間部を前記基板に固定したことを特徴とする請求項２に記載の光スイッチ。
【請求項５】
前記可動手段は、前記移動可能な光ファイバの一端側に設けた第１の駆動部と他端側に設けた第２の駆動部とを備えることを特徴とする請求項３に記載の光スイッチ。
【請求項６】
前記可動手段は、前記切換え用光ファイバの一端側に設けた第１の駆動部と他端側に設けた第２の駆動部とを備えることを特徴とする請求項４に記載の光スイッチ。
【請求項７】
前記入力用光ファイバの本数が１本であり、出力用光ファイバの本数が４本であり、切換え用光ファイバの本数が２本であることを特徴とする請求項２に記載の光スイッチ。
【請求項８】
前記移動可能な光ファイバの一端部を保持する第１の保持手段と、この移動可能な光ファイバの他端部を保持する第２の保持手段とを設け、前記第１の駆動部がこの第１の保持手段を前記基板に対して移動可能にし、前記第２の駆動部が前記第２の保持手段を前記基板に対して移動可能にすることを特徴とする請求項５に記載の光スイッチ。
【請求項９】
前記切換え用光ファイバの一端部を保持する第１の保持手段と、この切換え用光ファイバの他端部を保持する第２の保持手段とを設け、前記第１の駆動部がこの第１の保持手段を前記基板に対して移動可能にし、前記第２の駆動部が前記第２の保持手段を前記基板に対して移動可能にすることを特徴とする請求項６に記載の光スイッチ。
【請求項１０】
基板と、この基板上に固定された第１の固定ブロックと、この第１の固定ブロックに長手方向の中間部が固定され両端部が片持ち梁状となっている２本の可動光ファイバと、前記２本の可動光ファイバの両先端部に固定された軟磁性体の２個の可動ブロックと、一方の前記可動ブロックに対向して配置され１本の光ファイバを固定可能な軟磁性体の第２の固定ブロックと、他方の前記可動ブロックに対向して配置され４本の光ファイバを固定可能な軟磁性体の第３の固定ブロックと、前記２個の可動ブロックをそれぞれ独立に前記第２及び第３の固定ブロックに対し移動させるアクチュエータと、前記２個の可動ブロックを前記第２および第３の固定ブロックに対し位置決めする手段とを有することを特徴とする光スイッチ。
【請求項１１】
前記２本の可動光ファイバーと、前記第１の固定ブロックと、前記２個の可動ブロックとは、可動光ファイバーを弾性体とする平行板バネ構造となっていることを特徴とする請求項１０に記載の光スイッチ。
【請求項１２】
前記可動ブロックが、電磁アクチュエータの一部を構成することを特徴とする請求項１１に記載の光スイッチ。
【請求項１３】
光スイッチ部と、前記光スイッチ部を駆動するスイッチ駆動回路とを備え、前記光スイッチ部は、光信号が入力される入力側光導波路と、前記入力側光導波路に光結合されて光信号が出力される出力側光導波路と、前記入力側光導波路と前記出力側光導波路との光結合を切換えるアクチュエータとを有し、前記アクチュエータは、前記入力側光導波路または前記出力側光導波路を可動させる可動部材と、前記可動部材を共通に介して夫々の磁路を形成する二つの電磁コイルとを有し、前記スイッチ駆動回路は、前記可動部材の位置を検出する位置検出手段と、前記電磁コイルに電流を流す電流発生手段とを有し、前記位置検出手段は前記二つの電磁コイルに交流電流を流して生ずる前記二つの電磁コイルの電圧の差に基づいて前記可動部材の位置を検出するように構成したことを特徴とする光スイッチ。
【請求項１４】
光スイッチ部と、前記光スイッチ部を駆動するスイッチ駆動回路とを備え、前記光スイッチ部は、光信号が入力される入力側光導波路と、前記入力側光導波路に光結合されて光信号が出力される出力側光導波路と、前記入力側光導波路と前記出力側光導波路との光結合を切換えるアクチュエータとを有し、前記アクチュエータは、前記入力側光導波路または前記出力側光導波路を可動させる可動部材と、前記可動部材を共通に介して夫々の磁路を形成する二つの直列接続された電磁コイルとを有し、前記スイッチ駆動回路は、前記可動部材の位置を検出する位置検出手段と、前記直列に接続された二つの電磁コイルの両端に電流を流す電流発生手段とを有し、前記位置検出手段は、前記二つの電磁コイルに交流電流を流して生ずる夫々の電磁コイルの応答電圧を増幅すると共に、この増幅された夫々の応答電圧を比較して前記可動部材の位置を検出するように構成したことを特徴とする光スイッチ。
【請求項１５】
光スイッチ部と、前記光スイッチ部を駆動するスイッチ駆動回路とを備え、前記光スイッチ部は、光信号が入力される入力側光導波路と、前記入力側光導波路に光結合されて光信号が出力される出力側光導波路と、前記入力側光導波路と前記出力側光導波路との光結合を切換えるアクチュエータと、前記入力側光導波路、前記出力側光導波路及び前記アクチュエータを収納したパッケージケースとを有し、前記アクチュエータは、前記入力側光導波路または前記出力側光導波路を可動させる可動部材と、前記可動部材を共通に介して夫々の磁路を形成する二つの直列接続された電磁コイルと、前記二つの電磁コイルの一側のコイル電極を夫々接続する第１及び第３内部電極と、前記二つの電磁コイルの他側のコイル電極を接続する第２内部電極と、前記第１、第２及び第３内部電極に接続されると共に前記パッケージケースより外部に突出する第１、第２及び第３外部電極とを有し、前記スイッチ駆動回路は、前記可動部材の位置を検出する位置検出手段と、前記直列に接続された二つの電磁コイルの両端に前記第１及び第３内部電極を介して電流を流す電流発生手段とを有し、前記位置検出手段は、前記二つの電磁コイルに交流電流を流して生ずる夫々の電磁コイルの応答電圧を前記第１、第２及び第３外部電極を介して検出し、この検出した夫々の応答電圧に基づいて前記可動部材の位置を検出するように構成したことを特徴とする光スイッチ。
【請求項１６】
光スイッチ部と、前記光スイッチ部を駆動するスイッチ駆動回路とを備え、前記光スイッチ部は、光信号が入力される入力側光導波路と、前記入力側光導波路に光結合されて光信号が出力される出力側光導波路と、前記入力側光導波路と前記出力側光導波路との光結合を切換えるアクチュエータとを有し、前記アクチュエータは、前記入力側光導波路または前記出力側光導波路を可動させる可動部材と、前記可動部材を共通に介して夫々の磁路を形成する二つの直列接続された電磁コイルとを有し、前記スイッチ駆動回路は、前記可動部材の位置を検出する位置検出手段と、前記直列に接続された二つの電磁コイルの両端に電流を流す電流発生手段とを有し、前記位置検出手段は、前記二つの電磁コイルに交流電流を流して生ずる夫々の電磁コイルの応答電圧を増幅すると共に、この増幅された夫々の応答電圧を比較して前記可動部材の位置を検出するように構成し、前記電流発生手段は、前記可動部材の駆動時に直流電流を前記二つの電磁コイルに流すと共に、前記可動部材の位置検出時に交流電流を流すように構成したことを特徴とする光スイッチ。